(57)【要約】【課題】電子機器の梱包が簡単で、陳列状態において、梱包ケースから電子機器を簡単に出して操作を試すことを可能とする。【解決手段】電子機器４を載せる台紙３と、その台紙３及び電子機器４を覆って、電子機器本体を収容する本体収容部を形成するブリスター２と、これら台紙３及びブリスター１が挿入される開口部１３を有する収容箱１と、を備え、台紙３及びブリスター２が重ねて収容箱１の開口部１３に挿入されるとともに、台紙３下端部及びブリスター２の下端部２４が開口部１３から収納箱１の下部１２内に差し込まれている。さらに、収容箱下部１２内で、台紙３下端部及びブリスター下端部２４側に、付属品５を収容する第２収容部３４が形成されている。収容箱１の第２収容部３４と反対側の上部１１に吊り下げ孔１４が形成されている。【選択図】図１
2015178367.tif 000002
【特許請求の範囲】
【請求項１】
電子機器を載せる台紙と、
前記台紙及び電子機器を覆って、電子機器本体を収容する本体収容部を形成するブリスターと、
前記台紙及びブリスターが挿入される開口部を有する収容箱と、を備え、
前記台紙及びブリスターが重ねて前記収容箱の前記開口部に挿入されるとともに、
前記台紙及びブリスターの一端部が前記開口部から前記収納箱の一端部内に差し込まれていることを特徴とする電子機器の梱包ケース。
【請求項２】
前記収容箱、台紙及びブリスターの一端部側に、付属品を収容する第２収容部が形成されていることを特徴とする請求項１に記載の電子機器の梱包ケース。
【請求項３】
前記収容箱の前記第２収容部と反対側の他端部に吊り下げ孔が形成されていることを特徴とする請求項２に記載の電子機器の梱包ケース。
【請求項４】
前記台紙及びブリスターの前記一端部側に形成した前記第２収容部が、前記収容箱の前記一端部側内に固定されていることを特徴とする請求項２または３に記載の電子機器の梱包ケース。
【請求項５】
前記第２収容部は、前記台紙の前記一端部側に突出する筒状部により形成され、
前記筒状部の両端部に、前記ブリスターの前記一端部側に形成した一対の内方突出部が位置していることを特徴とする請求項４に記載の電子機器の梱包ケース。
【請求項６】
前記台紙の前記筒状部と反対側の他端部を折り畳んで、他の付属品等を収容する第３収容部が形成されていることを特徴とする請求項３から５のいずれか一項に記載の電子機器の梱包ケース。
【請求項７】
前記吊り下げ孔で吊り下げられた状態において、
前記本体収容部で前記台紙の略下半部側位置に電子機器が収容されることを特徴とする請求項３から６のいずれか一項に記載の電子機器の梱包ケース。
【請求項８】
前記本体収容部に電子機器が収容されていて、
前記第２収容部の前記筒状部に電池が収容されていることを特徴とする請求項５に記載の電子機器の梱包ケース。
【発明の詳細な説明】
【技術分野】
【０００１】
本発明は、電子機器の梱包ケースに関する。
【背景技術】
【０００２】
特許文献１において、電子機器を収容する吊り下げ式の梱包ケースが提案されている。その梱包ケースは、電卓などの電子機器を裏面側から収納する透明なケース本体と、このケース本体の裏面側に配置される印刷用の台紙と、この台紙の裏面側を保護する透明な保護シートとを備える。なお、台紙及び保護シートは、下縁部及び両側縁部でケース本体のスライド挟持部に挟持されて、上縁部でケース本体の係止部に係止される。
【０００３】
また、特許文献２において、製品本体及びその付属品の梱包容器が提案されている。その梱包容器は、携帯端末などの製品本体を収容した第２ブリスターで、充電器及び充電器用脚部などの付属品が収容された第１ブリスターを上方から覆い、その上方から第３ブリスターで覆って携帯端末及びその付属品を上下に積み重ねるように梱包する。そして、第１から第３ブリスターは各周縁が重なるように積み重ねられた状態で個装ケースに挿入される。
【先行技術文献】
【特許文献】
【０００４】
【特許文献１】特開２００８‐２６５７６９号公報
【特許文献２】特開２０１０‐８３５２３号公報
【発明の概要】
【発明が解決しようとする課題】
【０００５】
特許文献１のような梱包ケースは、本体ケースと台紙及び保護シートとを全周縁部で挟持または係止する構造のため、梱包が面倒で、陳列状態において、例えば電子機器を出して操作を試すことができないものとなっていた。
【０００６】
そして、特許文献１のような梱包ケースにおいて、例えば乾電池を梱包する場合、台紙で全周囲を囲む必要があった。
また、特許文献２のような梱包容器では、製品本体と電池を上下に収容するために梱包容器が複雑化、大型化する。
【０００７】
本発明の課題は、電子機器の梱包が簡単で、陳列状態において、梱包ケースから電子機器を簡単に出して操作を試すことを可能とすることである。
さらに、本発明は、付属品の梱包を簡単・小型化することも課題としている。
【課題を解決するための手段】
【０００８】
以上の課題を解決するため、本発明は、
電子機器を載せる台紙と、
前記台紙及び電子機器を覆って、電子機器本体を収容する本体収容部を形成するブリスターと、
前記台紙及びブリスターが挿入される開口部を有する収容箱と、を備え、
前記台紙及びブリスターが重ねて前記収容箱の前記開口部に挿入されるとともに、
前記台紙及びブリスターの一端部が前記開口部から前記収納箱の一端部内に差し込まれていることを特徴とする。
【発明の効果】
【０００９】
本発明によれば、電子機器を簡単に梱包できて、陳列状態において、梱包ケースから電子機器を簡単に出して操作を試すことができる。
【図面の簡単な説明】
【００１０】
【図１】本発明を適用した電子機器の梱包ケースの一実施形態の構成を示す斜視図である。
【図２】図１の矢印Ａ−Ａ線に沿った断面を示した拡大図である。
【図３】図１の収容箱に差し込まれるブリスターの斜視図である。
【図４】図３の矢印Ｂ−Ｂ線に沿った断面を示した拡大図である。
【図５】図１の収容箱に収容される台紙の斜視図である。
【図６】図５の台紙の展開図である。
【図７】台紙の変形例を示す斜視図である。
【発明を実施するための形態】
【００１１】
以下、図を参照して本発明を実施するための形態を詳細に説明する。
（実施形態）
図１は本発明を適用した電子機器の梱包ケースの一実施形態の構成を示すもので、１は収容箱、２はブリスター、３は台紙、４は電子機器（電子辞書）、５は付属品（電池）である。
【００１２】
図示のように、収容箱１は、上部１１及び下部１２を除いて、正面部から両側部にかけて大きな開口部１３を有するとともに、上部１１の上端中央に吊り下げ孔１４を有している。
この収納箱１には、開口部１３に透明プラスチック製のブリスター２が台紙３（図５参照）に重ねて挿入される。
【００１３】
ブリスター２は、収納箱１の開口部１３に挿入した状態において、上下の中央部が最大膨出部２１で、略上半部が一段低い中間膨出部２２で、略下半部が最小膨出部２３に形成されている。
すなわち、上下中央部の最大膨出部２１が上下幅を狭く横方向に連続して形成されて、その最大膨出部２１より一段低く略上半部に平坦状の中間膨出部２２が形成されて、略下半部に平坦状の最小膨出部２３が形成されている。
【００１４】
さらに、ブリスター２には、図２から図４に示すように、下端部２４に左右一対の内方突出部２５が形成されている。
【００１５】
図５は収容箱１に収容される台紙３を示し、図６は台紙３の展開状態を示したもので、図示のように、台紙３は、立ち上がりが大きい略上半部折り畳み片３２が形成されて、その略上半部折り畳み片３２より一段低い略下半部折り畳み片３３が形成されている。
そして、略下半部折り畳み片３３の下端部に左右を除いて突出する筒状部３４が形成されている。この筒状部３４は、略下半部折り畳み片３３の内部をくり抜いた形状で、直角に複数回折り曲げた四角筒状となっている。
【００１６】
また、略下半部折り畳み片３３の上端部に略下半部折り返し片３５が形成されている。
さらに、略上半部折り畳み片３２の下端部に内方に突出する筒状部３６が形成されている。この筒状部３６も、直角に複数回折り曲げた四角筒状となっている。
【００１７】
以上の台紙３にブリスター２を重ねた状態において、台紙３の略下半部折り畳み片３３とブリスター２の略下半部の最小膨出部２３との間に、電子機器である電子辞書４（図１参照）本体を折り畳み状態で収容する本体収容部が形成されている。そして、台紙３の略下半部折り畳み片３３の下端部に突出する筒状部３４が、付属品である電池５（図３参照）を収容する第２収容部となっている。さらに、台紙３の略上半部折り畳み片３２の内方で、その下端部の内方に突出する筒状部３６を含む空間が、図示しない他の付属品を収容する第３収容部３７となっている。
【００１８】
また、台紙３の下端部に突出する筒状部３４は、図２に示すように、ブリスター２の下端部２４の左右の内方突出部２５に挟まれて嵌まった状態となる。
【００１９】
次に、収容箱１に対するブリスター２及び台紙３の組み付け方を説明する。
【００２０】
まず、台紙３の略上半部折り畳み片３２の上に図示しない宣伝用の印刷物（または取扱説明書）を載せるとともに、略下半部折り畳み片３３の上に図示しない電子辞書４本体を載せておく。
そして、台紙３の下端部に突出する筒状部３４による第２収容部に電池５を挿入して、台紙３の略上半部折り畳み片３２の内方の筒状部３６を含む空間による第３収容部３７に図示しない取扱説明書（または宣伝用の印刷物）等の備品や他の付属品等を入れておく。
【００２１】
以上の台紙３にブリスター２を重ね、その重ねた状態の台紙３下端部及びブリスター下端部２４から収容箱１の開口部１３に挿入するとともに、その開口部１３から台紙３下端部及びブリスター下端部２４を収納箱下部１２内に差し込む。
【００２２】
この梱包状態において、図２に示すように、ブリスター下端部２４が収容箱下部１２内に嵌まった状態に固定されるとともに、台紙３下端部に突出する筒状部３４がブリスター下端部２４の左右の内方突出部２５に挟まれて嵌まった状態となっている。
従って、台紙３下端部及びブリスター下端部２４を収納箱下部１２内に差し込んだ状態が保持される。
また、台紙３下端部に突出する筒状部（第２収容部）３４に挿入した電池５の横方向の動きは、ブリスター下端部２４の左右の内方突出部２５により規制される。
【００２３】
以上、実施形態の電子辞書の梱包ケースによれば、台紙３及びブリスター２を重ねて収容箱１の開口部１３に挿入するとともに、台紙３下端部及びブリスター下端部２４を開口部１３から収納箱下部１２内に差し込むので、電子辞書４を簡単に梱包することができる。
そして、陳列状態において、ブリスター２を収容箱１の開口部１３から抜いて外すことで、梱包ケースから電子辞書４を簡単に出して操作を試すことができる。
【００２４】
さらに、収容箱下部１２内で、台紙３下端部及びブリスター下端部２４に第２収容部（筒状部）３４を形成したことで、その第２収容部（筒状部）３４に電池５を収容して、電池５の梱包を簡単・小型化することができる。
【００２５】
しかも、収容箱１の電子辞書４本体を収容する本体収容部、及び電池５を収容する第２収容部（筒状部）３４と反対側の端部に吊り下げ孔１４を設けたことで、収容箱１の吊り下げ孔１４で商品陳列棚の陳列棒に梱包ケースを吊り下げた状態において、重量のある電子辞書４本体及び電池５が下側となって、安定した陳列状態が得られる。
【００２６】
また、梱包ケースを吊り下げた陳列状態において、台紙３下端部及びブリスター下端部２４が収納箱１の開口部１３から下部１２内に差し込まれた状態で、台紙３下端部に突出する筒状部３４がブリスター下端部２４の左右の内方突出部２５に挟まれて嵌まった状態となっているので、ブリスター２及び台紙３が落ちてくることもない。
【００２７】
さらに、梱包ケースを吊り下げた陳列状態において、ブリスター２略上半部の中間膨出部２２内で台紙３の略上半部折り畳み片３２に宣伝用の印刷物（または取扱説明書）を入れて表示するとともに、その略上半部折り畳み片３２の内方の筒状部３６を含む空間を利用した第３収容部３７に取扱説明書（または宣伝用の印刷物）等の備品や他の付属品等を入れておくことができる。
【００２８】
（変形例）
図７は台紙３の変形例を示すもので、前述した実施形態と同様、３２は略上半部折り畳み片、３３は略下半部折り畳み片、３４は筒状部（第２収容部）、３５は略下半部折り返し片、３６は筒状部、３７は第３収容部である。
すなわち、実施形態では、台紙３下端部に突出する筒状部３４を四角筒状としたのに対し、この変形例では、図示のように、円形筒状の筒状部３４に形成している。
【００２９】
このように、台紙３下端部に突出する筒状部３４を円形筒状としてもよい。
【００３０】
（他の変形例）
以上の実施形態においては、電子辞書の梱包ケースとしたが、本発明はこれに限定されるものではなく、カメラや携帯電話や電卓など他の電子機器の梱包ケースであってもよい。
また、実施形態では、吊り下げ展示用としたが、これに限らず平置き展示用であってもよい。
さらに、実施形態では、収容箱下部を電池の収容部としたが、その他、例えばＵＳＢケーブルやイヤホンケーブルなどの付属品を収容してもよい。
また、収容箱、台紙、ブリスターの形状等も任意であり、その他、具体的な細部構造等についても適宜に変更可能であることは勿論である。
【００３１】
以上、本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。
付記に記載した請求項の項番は、この出願の願書に最初に添付した特許請求の範囲の通りである。
〔付記〕
＜請求項１＞
電子機器を載せる台紙と、
前記台紙及び電子機器を覆って、電子機器本体を収容する本体収容部を形成するブリスターと、
前記台紙及びブリスターが挿入される開口部を有する収容箱と、を備え、
前記台紙及びブリスターが重ねて前記収容箱の前記開口部に挿入されるとともに、
前記台紙及びブリスターの一端部が前記開口部から前記収納箱の一端部内に差し込まれていることを特徴とする電子機器の梱包ケース。
＜請求項２＞
前記収容箱、台紙及びブリスターの一端部側に、付属品を収容する第２収容部が形成さていることを特徴とする請求項１に記載の電子機器の梱包ケース。
＜請求項３＞
前記収容箱の前記第２収容部と反対側の他端部に吊り下げ孔が形成されていることを特徴とする請求項２に記載の電子機器の梱包ケース。
＜請求項４＞
前記台紙及びブリスターの前記一端部側に形成した前記第２収容部が、前記収容箱の前記一端部側内に固定されていることを特徴とする請求項２または３に記載の電子機器の梱包ケース。
＜請求項５＞
前記第２収容部は、前記台紙の前記一端部側に突出する筒状部により形成され、
前記筒状部の両端部に、前記ブリスターの前記一端部側に形成した一対の内方突出部が位置していることを特徴とする請求項４に記載の電子機器の梱包ケース。
＜請求項６＞
前記台紙の前記筒状部と反対側の他端部を折り畳んで、他の付属品等を収容する第３収容部が形成されていることを特徴とする請求項３から５のいずれか一項に記載の電子機器の梱包ケース。
＜請求項７＞
前記吊り下げ孔で吊り下げられた状態において、
前記本体収容部で前記台紙の略下半部側位置に電子機器が収容されることを特徴とする請求項３から６のいずれか一項に記載の電子機器の梱包ケース。
＜請求項８＞
前記本体収容部に電子機器が収容されていて、
前記第２収容部の前記筒状部に電池が収容されていることを特徴とする請求項５に記載の電子機器の梱包ケース。
【符号の説明】
【００３２】
１  収容箱
１１  上部
１２  下部
１３  開口部
１４  吊り下げ孔
２  ブリスター
２１  最大膨出部
２２  中間膨出部
２３  最小膨出部
２４  下端部
２５  内方突出部
３  台紙
３２  略上半部折り畳み片
３３  略下半部折り畳み片
３４  筒状部（第２収容部）
３５  略下半部折り返し片
３６  筒状部
３７  第３収容部
４  電子機器
５  付属品（電池）
【図１】
2015178367.tif 000003
【図２】
2015178367.tif 000004
【図３】
2015178367.tif 000005
【図４】
2015178367.tif 000006
【図５】
2015178367.tif 000007
【図６】
2015178367.tif 000008
【図７】
2015178367.tif 000009